(57)【要約】      （修正有）【課題】使用者の体温を利用した美容液との熱化学反応により追加的な熱処理をしなくても使用できる頭の温熱と発熱美容液を利用したスチームヘアパックを提供する。【解決手段】第１カバー層１１０及び第２カバー層１３０の互いに対向する第１纎維層と第２纎維層との間に形成され、前記使用者の頭の温熱により溶融しながら発熱して前記使用者の頭髪に吸収される美容液層１２０と、一端が前記開口部１１５の一側に連結され、前記開口部１１５を通じて前記使用者の頭が前記第１カバー層１１０及び前記第２カバー層１３０の間に引入された状態で他端が前記開口部１１５の他側に連結される連結部１４０と、を含む。したがって、ヘアパック１００の内部に美容液１２０が挿入されて使用者が別に美容液１２０を塗布する必要がなく、使用者の頭の温熱及び発熱成分が美容液１２０と熱化学反応することにより追加的な熱処理を実行せずに使用することができる。【選択図】図１
2015126884.tif 000002
【特許請求の範囲】
【請求項１】
第１纎維層に第１合成樹脂層が接合されて形成される第１カバー層と、
第２纎維層に第２合成樹脂層が接合されて形成され、前記第１カバー層の一部分と熱圧着されて一側に使用者の頭が引入される開口部を形成する第２カバー層と、
前記第１カバー層及び前記第２カバー層の互いに対向する前記第１纎維層と前記第２纎維層の間に形成され、前記使用者の頭の温熱により溶融されながら発熱して前記使用者の頭髪に吸収される美容液層と、
一端が前記開口部の一側に連結され、前記開口部を通じて前記使用者の頭が前記第１カバー層及び前記第２カバー層の間に引入された状態で他端が前記開口部の他側に連結される連結部と、を含むこと特徴とする頭の温熱と発熱美容液を利用したスチームヘアパック。
【請求項２】
前記第１カバー層は、前記第１合成樹脂層の一部分に感温変色インクにより既に設定された記号、文字、図形及びこれらの結合の中でいずれの一つが印刷される感温変色部を含むことを特徴とする請求項１に記載の頭の温熱と発熱美容液を利用したスチームヘアパック。
【請求項３】
前記第１カバー層は、前記第２カバー層から分離されて前記開口部を外部に露出させる分離部と、
前記第１カバー層の一面に形成されて前記分離部を切取する切取ラインと、を含むことを特徴とする請求項１に記載の頭の温熱と発熱美容液を利用したスチームヘアパック。
【請求項４】
前記開口部を通じて前記使用者の頭が引入された状態で前記第１カバー層及び前記第２カバー層を絞る絞り紐と、
前記第１カバー層及び前記第２カバー層の外側面に既に設定された間隔に形成され、内側空間に前記絞り紐を収容するガイドカバーと、をさらに含むことを特徴とする請求項１に記載の頭の温熱と発熱美容液を利用したスチームヘアパック。
【請求項５】
前記美容液層は、固形剤の形態に形成され、前記使用者の頭の温熱により熱化学反応して溶融され、感温変色成分で構成されることを特徴とする請求項１に記載の頭の温熱と発熱美容液を利用したスチームヘアパック。
【請求項６】
前記美容液層は、前記第１カバー層及び前記第２カバー層の互いに対向する前記第１纎維層と前記第２纎維層との間に形成され、前記使用者の頭の温熱により溶融されながら発熱して前記使用者の頭髪に吸収される第１美容液層と、
前記第１カバー層及び前記第２カバー層の互いに対向する前記第１纎維層と前記第２纎維層との間に前記第１美容液層と離隔されて形成され、前記第１美容液層の化学反応を促進させる第２美容液層と、を含むことを特徴とする請求項１に記載の頭の温熱と発熱美容液を利用したスチームヘアパック。
【請求項７】
前記美容液層は、前記第１カバー層及び前記第２カバー層の互いに対向する前記第１纎維層と前記第２纎維層との間に形成され、前記使用者の頭の温熱により溶融されながら発熱して前記使用者の頭髪に吸収される第１美容液層と、
前記第１カバー層の位置面に接合される補助カバー層内部に挿入されて前記第１美容液層の化学反応を促進させる第２美容液層と、を含むことを特徴とする請求項１に記載の頭の温熱と発熱美容液を利用したスチームヘアパック。
【請求項８】
前記第１カバー層及び前記第２カバー層の間に位置して外部の美容液が注入される注入部をさらに含むことを特徴とする請求項１に記載の頭の温熱と発熱美容液を利用したスチームヘアパック。
【発明の詳細な説明】
【技術分野】
【０００１】
本発明は、頭の温熱と発熱美容液を利用したスチームヘアパックに関し、より詳細には、内部に毛髪及び頭皮を保護する発熱美容液が挿入されたスチームヘアパックに関する。
【背景技術】
【０００２】
美容産業の発展に従って皮膚だけではなく毛髪を管理するための多様な製品が発売開始されている。特に、毛髪は、外部に露出されているため容易に乾燥になり、身体部位の中で一番紫外線をたくさん受けるので、紫外線により損傷されしやくい。この場合、損傷された毛髪は、再生が難しいので、一般的に美容室で頭皮マッサージを受けるなど管理が必要である。
【０００３】
しかし、美容室で頭皮管理をよく受けることは費用上負担になり、市中に販売されている製品の場合には、直接消費者が毛髪と頭皮に営養剤を塗らなければならない煩わしさがある。また、営養剤を頭皮などに塗布した後に所定時間の間には活動が制約される問題点がある。
【０００４】
従来の技術のうち大韓民国登録実用新案第２０−０４６２１０１号(２０１２.０８.２０登録)は、「１回用ヘアマスクパック」に関するもので、不織布からなる不織布本体、不織布本体の末端に形成されており、頭が入ることができる不織布開口部と、不織布開口部を頭に固定させるために不織布開口部のわくに設置されているバンドを有し、不織布本体に頭皮毛髪用美容液が塗布されている不織布帽子と、ビニールからなるビニール本体、ビニール本体の末端に形成されており、頭が入ることができるビニール開口部と、ビニール開口部を頭に固定させるためにビニール開口部のわくに設置されているバンドを有し、不織布帽子の外部を覆うことができるサイズを有したビニール帽子と、を含むことを特徴とする。
【０００５】
しかし、前記技術の場合、不織布帽子を頭に被った状態でビニール帽子をさらに被らなければならないので不便であり、使用者が一定時間営養剤などが吸収されたかを肉眼で判断しにくいという問題点がある。
【発明の概要】
【発明が解決しようとする課題】
【０００６】
したがって、前記のような従来の諸問題点を解消するために提案されたものであって、本発明の目的は、ヘアパックの内部に美容液が挿入されて使用者が別に美容液を塗布する必要がなく、使用者の体温を利用した美容液との熱化学反応により追加的な熱処理をしなくても使用できる頭の温熱と発熱美容液を利用したスチームヘアパックを提供することにある。
【課題を解決するための手段】
【０００７】
本発明の一実施例による頭の温熱と発熱美容液を利用したスチームヘアパックは、第１纎維層に第１合成樹脂層が接合形成される第１カバー層と、第２纎維層に第２合成樹脂層が接合形成され、前記第１カバー層の一部分と熱圧着されて一側に使用者の頭が引入される開口部を形成する第２カバー層と、前記第１カバー層及び前記第２カバー層の互いに対向する前記第１纎維層と前記第２纎維層との間に形成され、前記使用者の頭の温熱により溶融しながら発熱して前記使用者の頭髪に吸収される美容液層と、一端が前記開口部の一側に連結され、前記開口部を通じて前記使用者の頭が前記第１カバー層及び前記第２カバー層の間に引入された状態で他端が前記開口部の他側に連結される連結部と、を含む。
【０００８】
また、前記第１カバー層は、前記第１合成樹脂層の一部分に感温変色インクで既に設定された記号、文字、図形及びこれらの結合の中でいずれの一つが印刷される感温変色部を含むことができる。
【０００９】
また、前記第１カバー層は、前記第２カバー層から分離されて前記開口部を外部に露出させる分離部と、前記第１カバー層の一面に形成されて前記分離部を切り取る切取ラインと、を含むことができる。
【００１０】
また、前記開口部を通じて前記使用者の頭が引入された状態で前記第１カバー層及び前記第２カバー層を絞る絞り紐と、前記第１カバー層及び前記第２カバー層の外側面に既に設定された間隔で形成され、内側空間に前記絞り紐を収容するガイドカバーと、をさらに含むことができる。
【００１１】
また、前記美容液層は、固形剤形態に形成され、前記使用者の体温により熱化学反応して溶融され、感温変色成分で構成することができる。
【００１２】
また、前記第１カバー層及び前記第２カバー層の間に位置して外部の美容液が注入される注入部をさらに含むことができる。
【発明の効果】
【００１３】
本発明によれば、ヘアパックの内部に美容液が挿入されているので、使用者が別に美容液を塗布する必要がなく、使用者の頭の温熱及び発熱成分が美容液と熱化学反応することにより追加的な熱処理を実行せずに使用することができる。
【００１４】
また、ヘアパックのカバーがヘアパック内部の温度により変色されることにより、使用者が使用時間を肉眼で確認することができる。
【図面の簡単な説明】
【００１５】
【図１】本発明の一実施例による頭の温熱と発熱美容液を利用したスチームヘアパックの斜視図である。
【図２】図１による頭の温熱と発熱美容液を利用したスチームヘアパックの分解斜視図である。
【図３】(Ａ)及び(Ｂ)は、本発明の他の実施例による感温変色される頭の温熱と発熱美容液を利用したスチームヘアパックを説明するための例示図である。
【図４】本発明のまた他の実施例による分離部を切り取る頭の温熱と発熱美容液を利用したスチームヘアパックを説明するための例示図である。
【図５】(Ａ)と(Ｂ)は、本発明のまた他の実施例による絞り紐を有する頭の温熱と発熱美容液を利用したスチームヘアパックを説明するための例示図である。
【図６】本発明のまた他の実施例による頭の温熱と発熱美容液を利用したスチームヘアパックの分解斜視図である。
【図７】本発明のまた他の実施例による頭の温熱と発熱美容液を利用したスチームヘアパックの分解斜視図である。
【図８】本発明のまた他の実施例による頭の温熱と発熱美容液を利用したスチームヘアパックの分解斜視図である。
【発明を実施するための形態】
【００１６】
以下、添付図面を参照して本発明の実施例を詳細に説明する。ここで使用される用語は実施例での機能を考慮して選択された用語として、その用語の意味は、使用者、運用者の意図または判例などによって変わることができる。したがって、後述する実施例で使用された用語の意味は、本明細書で具体的に定義された場合には、その定義された内容によって解釈され、具体的に定義されていない場合は、当業者が一般的に認識する意味で解釈する。
【００１７】
図１は、本発明の一実施例による頭の温熱と発熱美容液を利用したスチームヘアパックの斜視図であり、図２は、図１による頭の温熱と発熱美容液を利用したスチームヘアパックの分解斜視図である。
【００１８】
図１及び図２を参照すれば、本発明の一実施例によるスチームヘアパック１００は、第１カバー層１１０と、美容液層１２０と、第２カバー層１３０と、連結部１４０と、を含む。
【００１９】
第１カバー層１１０は、第１纎維層１１１に第１合成樹脂層１１２が接合形成される。第１纎維層１１１は、天然纎維または化学纎維を使用することができ、不織布(ｎｏｎｗｏｖｅｎ ｆａｂｒｉｃｓ)を使用することも可能であるが、必ずこれに限定されるものではない。第１合成樹脂層１１２は、第１纎維層１１１と接着剤により接合され、放水機能を有する。また、第１合成樹脂層１１２は、外部に空気は排出し、内部熱の排出は遮断する素材に形成することができる。第１カバー層１１０は、半円状に形成することができるが、必ずこれに限定されるものではなく、後述する第２カバー層１３０と一緒に使用者の頭に着用することができる帽子形状を構成することができるものであれば、いずれの形態も可能である。
【００２０】
美容液層１２０は、第１カバー層１１０及び第２カバー層１３０の互いに対向する第１纎維層１１１と第２纎維層１３１との間に形成される。美容液層１２０は、発熱成分で構成され、体温により溶融しながら使用者の頭髪または頭皮に吸収されることができる。美容液層１２０は、液体状態である場合、第１纎維層１１１または第２纎維層１３１に塗布されることができる。また、美容液層１２０は、固形剤の形態に形成され、使用者の頭の温熱により熱化学反応して溶融されることができる。この場合、美容液層１２０は、頭髪の表皮または頭皮に吸収されて栄養を供給する成分物質で構成することが好ましい。
【００２１】
すなわち、使用者が第１カバー層１１０と第２カバー層１３０の開口部１１５に頭を引入すれば、頭から発生する熱により美容液層１２０が熱化学反応して使用者の頭髪に吸収されて栄養を供給するようになる。したがって、使用者は別途の熱処理や薬品を塗らないで、第１カバー層１１０と第２カバー層１３０との間に頭を引入させた状態で所定時間の間維持することだけでも頭髪に栄養成分を供給することができる。
【００２２】
また、美容液層１２０は、感温変色成分の物質を含むことができる。例えば、使用者の頭髪に美容液が吸収された後、既に設定された温度または時間によって変色される成分を含むことができる。この場合、使用者は美容液の色変化を確認して美容液が頭髪または頭皮に吸収された状態を点検することができる。
【００２３】
第２カバー層１３０は、第２纎維層１３１に第２合成樹脂層１３２が接合形成される。第２纎維層１３１は、天然纎維または化学纎維を使用することができ、不織布(ｎｏｎｗｏｖｅｎ ｆａｂｒｉｃｓ)を使用することも可能であるが、必ずこれに限定されるものではない。第２合成樹脂層１３２は、第２纎維層１３１と接着剤により接合され、放水機能を有する。また、第２合成樹脂層１３２は、外部に空気は排出し、内部熱の排出は遮断する素材に形成すことができる。第２カバー層１３０は、半円形態に形成することができるが、必ずこれに限定されるものではなく、第１カバー層１１０と一緒に使用者の頭に被ることができる帽子形状で構成できるものであれば、いずれの形態も可能である。
【００２４】
また、第２カバー層１３０は、第１カバー層１１０に外郭部一部が接合される。この場合、第１カバー層１１０の第１纎維層１１１と第２カバー層１３０の第２纎維層１３１が互いに接するように接合されることができる。また、第１カバー層１１０と第２カバー層１３０が接合する際に、人の頭が引入できるように一側には開口部１１５を形成することができる。例えば、第１カバー層１１０及び第２カバー層１３０が四角形の形態である場合、４辺の中である一辺は、接合されなくてもよい。これによって、第１カバー層１１０と第２カバー層１３０は、使用者が被ることができる帽子形態を構成することができる。
【００２５】
連結部１４０は、一端が開口部１１５の一側に連結され、開口部１１５を通じて使用者の頭が第１カバー層１１０及び第２カバー層１３０の間に引入された状態で他端が開口部１１５の他側に連結される。例えば、連結部１４０は、一面に接着剤成分が塗布されることができる。連結部１４０は、使用者の頭が第１カバー層１１０及び第２カバー層１３０に引入されるとき、これを固定させるためのものである。連結部１４０は、使用者の頭囲サイズによって適切な位置に接合されて第１カバー層１１０及び第２カバー層１３０を使用者の頭に固定させることができる。
【００２６】
図３の(Ａ)及び(Ｂ)は、本発明の他の実施例による感温変色される頭の温熱と発熱美容液を利用したスチームヘアパックを説明するための例示図である。
【００２７】
図３の(Ａ)を参照すれば、本発明の他の実施例による感温変色される頭の温熱と発熱美容液を利用したスチームヘアパック３００は、第１カバー層３１０と、美容液層(図示せず)と、第２カバー層３３０と、連結部３４０と、を含む。この場合、第１カバー層３１０、美容液層、第２カバー層３３０及び連結部３４０は、図１の第１カバー層１１０、美容液層１２０、第２カバー層１３０及び連結部１４０の構成と実質的に同一であるのでこれに対する説明は省略する。
【００２８】
一方、第１カバー層３１０は、第１合成樹脂層(図示せず)の一部分に感温変色インクにより既に設定された記号、文字、図形及びこれらの結合の中でいずれの一つが印刷される感温変色部３１７を含む。
【００２９】
感温変色部３１７は、感温変色インク成分により第１カバー層３１０から発生する温度変化に従って色が変化される。これは、使用者が第１カバー層３１０と第２カバー層３３０との間に頭を引入した後、熱化学反応によって発熱を感知できるようにするためである。この場合、感温変色部３１７は、第１カバー層３１０に複数個に形成することができ、複数個の感温変色部３１７は、互いに異なる温度で互いに異なる色に変色されるように設定することができる。すなわち、使用者が時計を見ないで感温変色部３１７の色変化または色変化される感温変色部３１７の位置を確認することにより、第１カバー層３１０及び第２カバー層３３０から頭を引き出す時期を決定することができる。
【００３０】
また、第２カバー層３３０にも第１カバー層３１０に対応して第２合成樹脂面(図示せず)の一部分に感温変色インクにより既に設定された記号、文字、図形及びこれらの結合の中でいずれの一つが印刷される感温変色部３１７を含むことができる。図３の(Ｂ)は、時間の経過による温度変化に従って感温変色部３１７が変色された状態を示す。
【００３１】
図４は、本発明のまた他の実施例による分離部を切り取る頭の温熱と発熱美容液を利用したスチームヘアパックを説明するための例示図である。
【００３２】
図４を参照すれば、本発明のまた他の実施例による分離部を切り取る頭の温熱と発熱美容液を利用したスチームヘアパック４００は、第１カバー層４１０と、美容液層(図示せず)と、第２カバー層４３０と、連結部４４０と、を含む。この場合、第１カバー層４１０、美容液層、第２カバー層４３０及び連結部４４０は、図１の第１カバー層１１０、美容液層１２０、第２カバー層１３０及び連結部１４０の構成と実質的に同一であるのでこれに対する説明は省略する。
【００３３】
一方、第１カバー層４１０は、分離部４１８及び切取ライン４１９を含む。分離部４１８は、第２カバー層４３０から分離されて開口部４１５を外部に露出させる。すなわち、分離部４１８は、第１カバー層４１０の一部分であり、第１カバー層４１０と第２カバー層４３０が接合される際に、一側に使用者の頭が引入できるように開口部４１５を露出させるために分離される構成である。分離部４１８は、一部分が第２カバー層４３０と接合されて開口部４１５を閉鎖させて、分離部４１８が第１カバー層４１０から分離されると、開口部４１５が開放される。
【００３４】
切取ライン４１９は、第１カバー層４１０の一面に形成されて分離部４１８を切り取る。切取ライン４１９は、第１カバー層４１０のうち開口部４１５側に形成される。この場合、切取ライン４１９を通じて分離部４１８が第１カバー層４１０から分離されると、開口部４１５は開放されて使用者の頭を引入することができる。これによって、第１カバー層４１０及び第２カバー層４３０の内部に形成される美容液層が外部の空気と接触して変質されることを予防することができ、美容液層が外部に流出されることを防止することができる。
【００３５】
また、第２カバー層４３０に分離部４１８及び切取ライン４１９を形成することも可能である。
【００３６】
図５の(Ａ)及び(Ｂ)は、本発明のまた他の実施例による絞り紐を有する頭の温熱と発熱美容液を利用したスチームヘアパックを説明するための例示図である。
【００３７】
図５の(Ａ)を参照すれば、本発明のまた他の実施例による絞り紐を有する頭の温熱と発熱美容液を利用したスチームヘアパック５００は、第１カバー層５１０と、美容液層(図示せず)と、第２カバー層５３０と、連結部５４０と、絞り紐５５０と、ガイドカバー５６０と、を含む。この場合、第１カバー層５１０、美容液層、第２カバー層５３０及び連結部５４０は、図１の第１カバー層１１０、美容液層１２０、第２カバー層１３０及び連結部１４０の構成と実質的に同一であるので、これに対する説明は省略する。
【００３８】
一方、絞り紐５５０は、第１カバー層５１０と第２カバー層５３０との間に使用者の頭が引入された状態で第１カバー層５１０及び第２カバー層５３０を絞る紐である。使用者は、第１カバー層５１０と第カバー層５３０との間に頭を引入させた後、連結部５４０を通じて頭に固定させることができるが、使用者の頭髪が長い場合には、頭髪の体積によりヘアパックを被った状態でこれを維持しにくくなる。したがって、絞り紐５５０を通じてヘアパックを絞って頭髪部分を固定させることができる。
【００３９】
ガイドカバー５６０は、絞り紐５５０をガイドするための部材として、第１カバー層５１０及び第２カバー層５３０の外側面に既に設定された間隔に形成される。この場合、ガイドカバー５６０は、複数個に形成されることができ、内側空間に絞り紐５５０を収容することができる。したがって、絞り紐５５０は複数のガイドカバー５６０に収容され、ガイドカバー５６０に沿ってヘアパックを外部から絞る役目をする。図５の(Ｂ)は、絞り紐５５０がガイドカバー５６０に沿って絞られる状態を示す。
【００４０】
図６は、本発明のまた他の実施例による頭の温熱と発熱美容液を利用したスチームヘアパックの分解斜視図である。
【００４１】
図６を参照すれば、本発明のまた他の実施例による頭の温熱と発熱美容液を利用したスチームヘアパック６００は、第１カバー層６１０と、美容液層６２０と、第２カバー層６３０と、連結部６４０と、を含む。この場合、第１カバー層６１０、 第２カバー層６３０及び連結部６４０は、図１の第１カバー層１１０、第２カバー層１３０及び連結部１４０の構成と実質的に同一であるので、これに対する説明は省略する。
【００４２】
美容液層６２０は、第１美容液層６２１及び第２美容液層６２２を含む。より具体的に、第１美容液層６２１は、使用者の毛髪や頭皮に栄養を供給する成分の物質で構成される。例えば、第１美容液層６２１は、第１カバー層６１０の第１纎維層６１１の一領域に塗布されることができる。
【００４３】
第２美容液層６２２は、第１カバー６１０の一面に接合された補助カバー６１３の内部空間に形成される。例えば、補助カバー６１３は、第１カバー６１０の第１纎維層６１１と接合されると、内部に液体または固体状態の第２美容液層６２２を収容する。この場合、補助カバー６１３は、外力により破れながら第２美容液層６２２の成分を第１美容液層６２１とまじるようにすることができる。
【００４４】
また、補助カバー６１３は、一面が第１纎維層６１１と接合され、他側が第２カバー６３０の第２纎維層６３１に接合されることができる。すなわち、第１カバー６１０と第２カバー６３０との間を離隔させる場合、補助カバー６１３が裂けながらその中に収容された第２美容液層６２２の成分が外部に流出される。
【００４５】
第２美容液層６２２は、第１美容液層６２１に泡などを発生させるように熱化学反応を促進させることができる成分で構成される。すなわち、第１美容液層６２１に第２美容液層６２２が混じるようになれば、熱化学反応が促進される。
【００４６】
第１美容液層６２１と第２美容液層６２２は、お互いに離隔されて混じらないように形成されることが好ましい。使用者がヘアパック６００の開口部６１５を通じて頭を引入させた場合、第１美容液層６２１及び第２美容液層６２２は、使用者の頭の温熱により溶融されて互いにまじるようになる。この場合、第１美容液層６２１と第２美容液層６２２は互いに混合されながら熱化学反応が促進される。
【００４７】
一方、図６のスチームヘアパック６００は、図３〜図５を通じて説明した感温変色部３１７、分離部４１８、切取ライン４１９、絞り紐５５０及びガイドカバー５６０をさらに含むことが可能である。
【００４８】
図７は、本発明のまた他の実施例による頭の温熱と発熱美容液を利用したスチームヘアパックの分解斜視図である。
【００４９】
図７を参照すれば、本発明の一実施例による頭の温熱と発熱美容液を利用したスチームヘアパック７００は、第１カバー層７１０と、美容液層７２０と、第２カバー層７３０と、連結部７４０とを含む。この場合、第１カバー層７１０、第２カバー層７３０及び連結部７４０は、図１の第１カバー層１１０、第２カバー層１３０及び連結部１４０の構成と実質的に同一であるので、これに対する説明は省略する。
【００５０】
美容液層７２０は、第１カバー層７１０及び第２カバー層７３０の互いに対向する第１纎維層７１１と第２纎維層７３１との間に形成される。美容液層７２０は、体温により溶融されて使用者の頭髪または頭皮に吸収されることができる。美容液層７２０は、液体状態の場合、第１纎維層７１１または第２纎維層７３１に塗布されることができる。また、美容液層７２０は、固形剤の形態に形成され、使用者の体温により熱化学反応して溶融されることができる。この場合、美容液層７２０は頭髪の表皮または頭皮に吸収されて栄養を供給する成分物質で構成することが好ましい。
【００５１】
すなわち、使用者が第１カバー層７１０と第２カバー層７３０の開口部７１５に頭を引入すれば、頭から発生する熱により美容液層７２０が熱化学反応して使用者の頭髪に吸収されて栄養を供給する。したがって、使用者は別途の熱処理や薬品を塗らないで、第１カバー層７１０と第２カバー層７３０との間に頭を引入させた状態で所定時間の間維持することだけでも頭髪に栄養成分を供給することができる。
【００５２】
また、美容液層７２０は、感温変色成分の物質を含むことができる。例えば、使用者の頭髪に美容液が吸収された後、既に設定された温度または時間によって変色される成分を含むことができる。この場合、使用者は美容液の色変化を確認して美容液が頭髪または頭皮に吸収された状態を点検することができる。
【００５３】
より具体的に、美容液層７２０は、第１美容液層７２１及び第２美容液層７２２を含む。第１美容液層７２１は、使用者の毛髪や頭皮に栄養を供給する成分物質で構成される。例えば、第１美容液層７２１は、第１カバー層７１０の第１纎維層７１１の一領域に塗布されることができる。
【００５４】
第２美容液層７２２は、第１美容液層７２１と離隔されて竝んで形成される。第２美容液層７２２は、第１美容液層７２１に泡などを発生させるように熱化学反応を促進させることができる成分で構成される。すなわち、第１美容液層７２１に第２美容液層７２２がまじるようになれば、熱化学反応が促進される。
【００５５】
第１美容液層７２１と第２美容液層７２２は、互いに離隔されて混合されないように形成することが好ましい。使用者がヘアパック７００の開口部７１５を通じて頭を引入させた場合、第１美容液層７２１及び第２美容液層７２２は、使用者の頭の温熱により溶融されて互いに混合される。この場合、第１美容液層７２１と第２美容液層７２２は、互いに混合されながら熱化学反応が促進される。
【００５６】
一方、図７のスチームヘアパック７００は、図３〜図５を通じて説明した感温変色部３１７、分離部４１８、切取ライン４１９、絞り紐５５０及びガイドカバー５６０をさらに含むことが可能である。
【００５７】
図８は、本発明のまた他の実施例による頭の温熱と発熱美容液を利用したスチームヘアパックの斜視図である。
【００５８】
図８を参照すれば、本発明のまた他の実施例による頭の温熱と発熱美容液を利用したスチームヘアパック８００は、第１カバー層８１０と、美容液層８２０と、第２カバー層８３０と、連結部８４０と、注入部８５０と、を含む。この場合、第１カバー層８１０、美容液層８２０、第２カバー層８３０及び連結部８４０は、図１の第１カバー層１１０、美容液層１２０、第２カバー層１３０及び連結部１４０の構成と実質的に同一であるので、これに対する説明は省略する。
【００５９】
注入部８５０は、第１カバー層８１０と第２カバー層８３０との間に位置するノズルである。注入部８５０は、外部の美容液容器Ａを通じて美容液をスチームヘアパック８００の内部に注入する役目をする。この場合、美容液容器Ａが注入部８５０に挿入されて美容液の流出なしにスチームヘアパック８００の内部に美容液を投入させることができる。また、注入部８５０は、その入口が蓋(図示せず)を通じて開放または閉鎖されることができる構造に形成することができる。したがって、使用者はスチームヘアパック８００の着用後に内部の温度が高いと、注入部８５０を開放して外部に熱を流出させることができる。また、追加的な美容液を注入しようとする場合、注入部８５０を開放して外部の美容液を投入させることができる。
【００６０】
このように、本発明の実施例による頭の温熱と発熱美容液を利用したスチームヘアパックは、ヘアパックの内部に美容液が挿入されて使用者が別に美容液を塗布する必要がなく、使用者の頭の温熱及び発熱成分の美容液との熱化学反応により追加的な熱処理なしに使用することができる。
【００６１】
また、ヘアパックのカバーがヘアパック内部の温度によって変色されることにより、使用者が使用時間を肉眼で確認することができる。
【００６２】
以上、添付した図面を参照して本発明の実施形態について説明したが、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【符号の説明】
【００６３】
１００：スチームヘアパック
１１０：第１カバー層
１１１：第１纎維層
１１２：第１合成樹脂層
１１５：開口部
１２０：美容液層
１３０：第２カバー層
１３１：第２纎維層
１３２：第２合成樹脂層
１４０：連結部
３００：スチームヘアパック
３１０：第１カバー層
３１７：感温変色部
３３０：第２カバー層
３４０：連結部
４００：スチームヘアパック
４１０：第１カバー層
４１５：開口部
４１８：分離部
４１９：切取ライン
４３０：第２カバー層
４４０：連結部
５００：スチームヘアパック
５１０：第１カバー層
５３０：第２カバー層
５４０：連結部
５５０：絞り紐
５６０：ガイドカバー
６００：スチームヘアパック
６１０：第１カバー層
６１１：第１纎維層
６１２：第１合成樹脂層
６１３：補助カバー層
６２０：美容液層
６２１：第１美容液層
６２２：第２美容液層
６３０：第２カバー層
６３１：第２纎維層
６３２：第２合成樹脂層
６４０：連結部
７００：スチームヘアパック
７１０：第１カバー層
７１１：第１纎維層
７１２：第１合成樹脂層
７１５：開口部
７２０：美容液層
７２１：第１美容液層
７２２：第２美容液層
７３０：第２カバー層
７３１：第２纎維層
７３２：第２合成樹脂層
７４０：連結部
８００：スチームヘアパック
８１０：第１カバー層
８１５：開口部
８２０：美容液層
８３０：第２カバー層
８４０：連結部
８５０：注入部
【図１】
2015126884.tif 000003
【図２】
2015126884.tif 000004
【図３】
2015126884.tif 000005
【図４】
2015126884.tif 000006
【図５】
2015126884.tif 000007
【図６】
2015126884.tif 000008
【図７】
2015126884.tif 000009
【図８】
2015126884.tif 000010